(57)【要約】【課題】ある程度までの揺れに対しては強い抵抗力を発揮する一方、構造材の破損に至るような大きな揺れに対してはその抵抗力を減じる機能をもった、木造軸組の入隅用補強金物を提供する。【解決手段】提案する木造軸組の入隅用補強金物１０は、角部２１を挟んで互いに交差する方向へ延伸した２つの平板部２２，２３を有するＬ形アングル部材２０と、Ｌ形アングル部材２０の２つの平板部２２，２３の間に筋交いとして架設され、平板部２２，２３の板幅の１／３〜１／２の板幅をもつリブ部材３０と、を備えている。【選択図】図２
2016079669.tif 000002
【特許請求の範囲】
【請求項１】
角部を挟んで互いに交差する方向へ延伸した２つの平板部を有するＬ形アングル部材と、
該Ｌ形アングル部材の前記２つの平板部の間に筋交いとして架設され、前記平板部の板幅の１／３〜１／２の板幅をもつリブ部材と、
を備えている、木造軸組の入隅用補強金物。
【請求項２】
前記リブ部材は、前記Ｌ形アングル部材の角部から離して架設されている、請求項１に記載の木造軸組の入隅用補強金物。
【請求項３】
前記Ｌ形アングル部材の少なくとも一方の平板部に、該平板部の先端に寄せて柱引き抜き防止用固定孔が設けられ且つ該先端とは反対側に位置する前記角部に寄せてせん断防止用固定孔が設けられている、請求項１又は請求項２に記載の木造軸組の入隅用補強金物。
【発明の詳細な説明】
【技術分野】
【０００１】
木造軸組建築物の耐震補強に関する技術を以下に開示する。
【背景技術】
【０００２】
木造軸組の耐震補強の一手段として、特許文献１に開示されるような、軸組の入隅に固定する金物が知られている。この耐震補強金物は、「鉄板からなり一角に直角をもつ二等辺三角形の三角板部を有してこの三角板部の直角を挟む２辺からそれぞれ折り曲げられ且つ角部を溶着により一体に接続した側板部を有し、前記各側板部に穿設された多数の透孔及び小孔を介してコーチボルト及びスクリュウくぎにより建物の入隅部に取り付けるようにしてなる」金物である。
【先行技術文献】
【特許文献】
【０００３】
【特許文献１】特開平０８−３０２８３４号公報
【発明の概要】
【発明が解決しようとする課題】
【０００４】
上記形態の補強金物は、直角二等辺三角形の三角板部を備えていて、この三角形に広がった広い面で揺れに抵抗するので、土台や梁（又は桁）に対する柱の揺れに抵抗する力が非常に強い。このため、地震によって軸組に大きな揺れが生じたときに、三角板部の抵抗力が土台、柱、梁の強さに勝り、これら構造材の方が先に破損してしまう懸念がある。土台、柱、梁といった構造材の修繕は大掛かりになり費用も膨らむので、その破損はできれば避けた方が良い。
このような背景に鑑みて本発明は、ある程度までの揺れに対しては強い抵抗力を発揮する一方、構造材の破損に至るような大きな揺れに対してはその抵抗力を減じる機能をもった、木造軸組の入隅用補強金物を目的とする。
【課題を解決するための手段】
【０００５】
当課題に対して提案する木造軸組の入隅用補強金物は、角部を挟んで互いに交差する方向へ延伸した２つの平板部を有するＬ形アングル部材と、該Ｌ形アングル部材の前記２つの平板部の間に筋交いとして架設され、前記平板部の板幅の１／３〜１／２の板幅をもつリブ部材と、を備えていることを特徴とする。
リブ部材は、Ｌ形アングル部材の角部から離して架設し、該リブ部材の角部側の側縁とＬ形アングル部材の角部を挟んだ側縁とに囲まれた三角形の空間が形成される形態とするのが、好適である。
この補強金物の場合、Ｌ形アングル部材の少なくとも一方の平板部において、該平板部の先端に寄せて柱引き抜き防止用固定孔を設け且つこの先端とは反対側に位置する角部に寄せてほぞせん断防止用固定孔を設ける、すなわち両者を離間させて設けることが好ましい。
【発明の効果】
【０００６】
上記提案に係る補強金物は、リブ部材がＬ形アングル部材の板幅の１／３〜１／２の板幅で形成されており、当該リブ部材の曲げ剛性以下で構造材の揺れに抵抗し、揺れの大きさがリブ部材の曲げ剛性を上回るときにはリブ部材が変形して、揺れに対する補強金物の抵抗力が構造材の強さを上回ることによる構造材の破損を、防止する。すなわち、ある程度までの揺れ（リブ部材の曲げ剛性以下の揺れ）に対しては抵抗力を発揮する一方、構造材の破損に至るような大きな揺れ（リブ部材の曲げ剛性を越える揺れ）に対しては抵抗力を減じる機能をもった、木造軸組の入隅用補強金物が提供される。
【図面の簡単な説明】
【０００７】
【図１】木造軸組の一般例を示した斜視図。
【図２】木造軸組の入隅用補強金物の実施形態を示した斜視図。
【図３】図２の実施形態に係る補強金物の正面図、側面図、上面図、底面図。
【発明を実施するための形態】
【０００８】
図１に、木造軸組の一般例を図示してある。土台に柱が立設され、該柱の上部（又は中間）に梁（桁）が架け渡される。これら構造材は、ほぞとほぞ穴で組み付けられる。本発明に係る木造軸組の入隅用補強金物は、例えば、図１に示すような、土台と２本の柱と梁とに囲まれた四辺形の領域において、土台と柱及び柱と梁のなす入隅１に取り付けられる。
【０００９】
図２及び図３に一例として示す本発明に係る補強金物１０は、短冊状の金属平板をＬ字形に折り曲げて形成されるＬ形アングル部材２０と、このＬ形アングル部材２０に筋交いとして架設される２つのリブ部材（又はブレース部材）３０と、を備えている。
Ｌ形アングル部材２０は、金属平板を折り曲げて作られるので、折り曲げにより形成される角部２１を挟んで（角部２１を交線として）互いに交差（本例では直交）する方向へ延伸した２つの平板部２２，２３を有する。
リブ部材３０は、Ｌ字に交差する２つの平板部２２，２３の間に筋交いとして斜めに架設される。本例において２つ架設されるリブ部材３０は、その端縁を平板部２２，２３に溶接して接続してある。このリブ部材３０の板幅Ｗ２（図３参照）は、平板部２２，２３の板幅Ｗ１の１／３から１／２の間に設定される。典型的な数値例をあげると、平板部２２，２３の板幅Ｗ１が３８ｍｍで、リブ部材３０の板幅Ｗ２が１８ｍｍである。このときの両者板厚Ｔは、例えば３．２ｍｍとする。
【００１０】
本例において、リブ部材３０は、Ｌ形アングル部材２０の角部２１から離して架設してある。すなわち、リブ部材３０における角部２１側の側縁３１と、Ｌ形アングル部材２０において角部２１を挟んだ平板部２２，２３の各側縁２２ａ，２３ａ（つまりＬ形アングル部材２０の入隅部分の側縁）とに囲まれた三角形の空間Ｓが形成されている。この空間Ｓが設けられて入隅部分が空いていることにより、図示せぬ固定ビスで固定するときの施工性が良好となる。
【００１１】
Ｌ形アングル部材２０の平板部２２，２３の少なくとも一方、好適には、柱へ固定される平板部２２に、柱引き抜き防止用固定孔２４とほぞせん断防止用固定孔２５とが２つずつ設けられる。柱引き抜き防止用固定孔２４は、平板部２２の先端２２ｂに寄せて設けられており、ほぞせん断防止用固定孔２５は、先端２２ｂとは反対側に位置する角部２１に寄せて設けられている。両固定孔２４，２５が互いに離間させて設けてあることにより、上方に寄っている固定孔２４が揺れ時に柱の引き抜きを防止する役目を担い、下方に寄っている固定孔２５が揺れ時に柱と土台（又は梁）とのほぞ組みのせん断破壊を防止する役目を担う。
土台又は梁へ固定される平板部２３に設けられる本例で４つの固定孔２６は、四辺形の四隅をなすような位置関係とするなど、適宜位置設計可能である。
本例の補強金物１０は、これら固定孔２４，２５，２６を通して、図示せぬ適切な固定ビスを締め込むことによって、図１に示すような入隅１に固定される。
【００１２】
以上の構造をもつ補強金物１０は、リブ部材３０が、Ｌ形アングル部材２０の板幅Ｗ１の１／３〜１／２の板幅Ｗ２で形成されており、このリブ部材３０の曲げ剛性以下で構造材の揺れに抵抗する。一方、揺れの大きさがリブ部材３０の曲げ剛性を上回るときにはリブ部材３０が変形し、揺れに対する補強金物１０の抵抗力が構造材の強さを上回ることによる構造材の破損を、防止する。リブ部材３０の板幅Ｗ２がＷ１／２を越えると曲げ剛性が強くなりすぎて構造材の破損を招き、Ｗ１／３より狭いと揺れに対する抵抗力が弱すぎる結果となる。この構造により、本例の補強金物１０は、リブ部材３０の曲げ剛性以下の揺れに相当する程度までの揺れに対しては抵抗力を発揮する一方、リブ部材３０の曲げ剛性を越えるような、構造材の破損に至る程度に大きな揺れに対しては抵抗力を減じる機能をもつ。
【符号の説明】
【００１３】
１  入隅（木造軸組の）
１０  補強金物
２０  Ｌ形アングル部材
２１  角部
２２，２３  平板部
２２ａ，２３ａ  側縁（Ｌ形アングル部材入隅部分の）
２２ｂ  先端
２４  柱引き抜き防止用固定孔
２５  ほぞせん断防止用固定孔
３０  リブ部材
３１  側縁（角部側の）
Ｓ  三角形の空間
【図１】
2016079669.tif 000003
【図２】
2016079669.tif 000004
【図３】
2016079669.tif 000005